(57)【要約】【課題】圧力上昇による変形に伴う水密の漏れを防止するフィルタケースを提供する。【解決手段】フィルタケース１は、流体を濾過する円筒状のフィルタを交換可能に収容するフィルタケース１であって、流体が流通可能な外周面の少なくとも一部を形成する第一外筒体１１、及び、第一外筒体１１の一方の端部を閉塞するとともに収容したフィルタの一端面に密接される第一蓋体１２を有する第一ケース本体１０と、流体が流通可能な外周面の少なくとも一部を形成する第二外筒体２１、及び、第二外筒体２１の一方の端部を閉塞するとともに収容したフィルタの他端面に密接される第二蓋体２２を有し、第一ケース本体１０に一体化されて第一ケース本体１０とともにフィルタを収容する第二ケース本体２０とを備えるものである。【選択図】        図１
2004313837.tif 000002
【特許請求の範囲】
【請求項１】
流体を濾過するフィルタを交換可能に収容するフィルタケースであって、
前記流体が流通可能な外周面の少なくとも一部を形成する第一外筒体、及び、該第一外筒体の一方の端部を閉塞するとともに収容した前記フィルタの一端面に密接される第一蓋体を有する第一ケース本体と、
前記流体が流通可能な外周面の少なくとも一部を形成する第二外筒体、及び、該第二外筒体の一方の端部を閉塞するとともに収容した前記フィルタの他端面に密接される第二蓋体を有し、前記第一ケース本体に一体化されて前記第一ケース本体とともに前記フィルタを収容する第二ケース本体と
を備えることを特徴とするフィルタケース。
【請求項２】
前記フィルタは、内周面から外周面へと前記流体を濾過することを特徴とする請求項１に記載のフィルタケース。
【請求項３】
前記第一ケース本体と前記第二ケース本体とを一体化する手段として、
前記第一外筒体の外周に設けられた係合部と、
前記第二外筒体の外周に設けられ、前記係合部に係合される被係合部と、
前記係合部と前記被係合部との係合部分を前記第一外筒体及び前記第二外筒体の軸方向へと付勢する付勢部材と
を備えることを特徴とする請求項１又は請求項２に記載のフィルタケース。
【請求項４】
前記第一ケース本体と前記第二ケース本体とを一体化する手段として、
前記第一蓋体又は前記第二蓋体の一方の中央部分に取付けられたボルトと、
前記第二蓋体又は前記第一蓋体の他方の中央部分に穿設され、前記ボルトを貫通可能な貫通孔と、
前記ボルトの前記貫通孔から突出した部分に螺合されるナットと
を備えることを特徴とする請求項１から請求項３までのいずれか一つに記載のフィルタケース。
【発明の詳細な説明】
【０００１】
【発明の属する技術分野】
本発明は、フィルタケースに関するものである。詳しくは、流体を濾過するフィルタを収容するフィルタケースに関するものである。
【０００２】
【従来の技術】
ワイヤーカット放電加工又は成形電極による放電加工は、通常、脱イオン水又は油などの加工液の中で電極と加工物とが対向し、その間でアーク放電が発生することで加工物の表面が欠落する現象を用い、加工物の加工を行うものである。そして、加工液は、循環回路に設けられたフィルタ装置にかけられて加工屑などが分離される。このようなフィルタ装置は、通常、フィルタがフィルタケースに取外し不能に組み付けられたものであるため、フィルタが目詰まりするとフィルタとともにフィルタケースも含めて廃棄しなければならない。このため、ランニングコストが高くなることや、フィルタケースを廃棄することによる資源の無駄使いになることや、フィルタケースが産業廃棄物となって環境を害することなどの問題がある。
【０００３】
そこで、フィルタケースにフィルタを交換可能に組み付け、フィルタを交換してフィルタケースを繰り返し使用できるように構成したものが提案されている（例えば、特許文献１参照）。これは、具体的には、図５に示すように、フィルタケース１００が、流体が流通可能な外周面を形成する外筒体１０２と、流体が流通可能でフィルタの内周面を支持する内筒体１０３と、外筒体１０２及び内筒体１０３の端部に着脱可能に被せる上蓋１０４及び底蓋１０５とを備えることにより、フィルタ２００を交換可能に収容したものである。
【０００４】
【特許文献１】
特開２００２−３３１２０８号公報
【０００５】
【発明が解決しようとする課題】
しかし、上述の従来技術は次に挙げる不都合を有していた。それは、フィルタケース１００にかかる圧力が上昇した際に、フィルタケース１００の各種の構成部材が変形してフィルタ２００の水密が保たれないことがあるということである。特に、上蓋１０４又は下蓋１０５が外筒体１０２及び内筒体１０３に着脱可能に取付けられていることから、上蓋１０４又は下蓋１０５への圧力が高まると、上蓋１０４又は下蓋１０５が変形しやすくフィルタ２００との密接が保たれなくなり、ここから加工液が漏れる可能性があった。
【０００６】
本発明は上記の実情を鑑み、圧力上昇による変形に伴う水密の漏れを防止するフィルタケースの提供を課題とするものである。
【０００７】
【課題を解決するための手段】
本発明にかかるフィルタケースは、「流体を濾過するフィルタを交換可能に収容するフィルタケースであって、前記流体が流通可能な外周面の少なくとも一部を形成する第一外筒体、及び、該第一外筒体の一方の端部を閉塞するとともに収容した前記フィルタの一端面に密接される第一蓋体を有する第一ケース本体と、前記流体が流通可能な外周面の少なくとも一部を形成する第二外筒体、及び、該第二外筒体の一方の端部を閉塞するとともに収容した前記フィルタの他端面に密接される第二蓋体を有し、前記第一ケース本体に一体化されて前記第一ケース本体とともに前記フィルタを収容する第二ケース本体とを備えること」を、上述の課題を解決するための主要な手段とする。
【０００８】
フィルタは、流体を濾過するものであれば、その具体的な構成をなんら限定するものではない。例えば、襞状に折り曲げるとともに円筒状に巻いて両側の縁を接合したフィルタシートなどが挙げられる。あるいは、フィルタシートを襞状にすることなく幾重にか円筒状に巻いて形成したものであってもよい。
【０００９】
フィルタケースは、フィルタを交換可能に収容する上述の構成を備えたものであるが、例えば、フィルタの内周面を支持するとともに流体が流通可能な内筒体をさらに備えたものであってもよい。これによれば、フィルタを内外から支持してフィルタの変形を防止することが可能となる。又、フィルタの一端面と第一蓋体と間、又は、フィルタの他端面と第二蓋体との間は、直接に密接されていてもよいし、パッキンなどを介装して間接に密接されていてもよい。
【００１０】
第一ケース本体と第二ケース本体とを一体化する構成は、第一ケース本体と第二ケース本体と着脱可能に一体化するものであれば、その具体的な構成をなんら特定するものではない。例えば、第一外筒体の端部と第二外筒体の端部とが相対するように組み付けるものなどでもよく、又、第一外筒体の端部の一部と第二外筒体の端部の一部とが相互に嵌合するように組み付けるものなどでもよい。この場合、第一外筒体の端部の一部が外側となるように嵌合してもよく内側となるように嵌合してもよい。
【００１１】
又、第一外筒体及び第二外筒体は、外周面の少なくとも一部を形成するものであればよい。例えば、第一外筒体が外周面の一端から中央までを形成し、第二外筒体が外周面の中央から他端までを形成するようにしてもよいし、第一外筒体が外周面の一端から三分の二程度までを形成し、第二外筒体が三分の二から他端までを形成するようにしてもよい。すなわち、第一外筒体と第二外筒体とで外周面を形成する場合、第一外筒体と第二外筒体とは軸方向におけるどの箇所で分けて外周面を形成してもよいのである。又、これに限らず、第一外筒体と第二外筒体との間に、流体が流通可能な外周面の少なくとも一部を形成する第三外筒体を介設してもよい。又、第一外筒体及び第二外筒体は、断面形状が円状であって円筒体を形成するものが好ましいが、断面形状が三角形状又は四角形状であって筒体を形成するものであってもよい。
【００１２】
本発明に係るフィルタケースでは、流体を濾過するフィルタが、第一ケース本体と第一ケース本体に一体化された第二ケース本体とにより収容されることになる。又、フィルタの一端面が第一蓋体に密接されることになるとともにフィルタの他端面が第二蓋体に密接されることとなり、フィルタの内周側の空間と外周側の空間とが、第一蓋体、第二蓋体、及びフィルタにより区画されることとなって、フィルタの内周面から外周面へ、又は、フィルタの外周面から内周面へと流体を濾過することが可能となる。流体を濾過するとき、フィルタケースに圧力がかかることになるのであるが、第一蓋体と第一外筒体とが、及び、第二蓋体と第二外筒体とが溶接などによって着脱不可能に設けられていることから、フィルタケース全体の剛性が高まり、フィルタケースの各種の構成部材が変形することがなく、フィルタの一端面と第一蓋体との間、及び、フィルタの他端面と第二蓋体との間などにおいても水密が保たれることになる。したがって、圧力上昇による水密の漏れを防止できる。
【００１３】
上記フィルタケースを、「前記フィルタは、内周面から外周面へと前記流体を濾過する」ものとしてもよい。
【００１４】
フィルタ装置は、フィルタを収容したフィルタケースを容器内に配設したものであるが、フィルタの外周面から内周面へと流体を濾過する外圧式の場合、フィルタにより濾過された加工屑などがフィルタの外周面に溜まることになる。このため、フィルタに目詰まりが起きてフィルタケースを容器内から取り出す際などに、フィルタの外周面についている加工屑などが容器内に落ちてしまうことがある。これに対して、フィルタの内周面から外周面へと流体を濾過する内圧式の場合、フィルタにより濾過された加工屑などがフィルタの内周面に溜まることになる。このため、フィルタに目詰まりが起きてフィルタケースを容器内から取り出す際などに加工屑などが容器内に落ちてしまうおそれがない。よって、内圧式の方が実施に際しては好適である。
【００１５】
しかし、内圧式の場合、フィルタの内周面から外周面へと流体を濾過するため、フィルタケースに内側から外側への圧力がかかることになり、フィルタケースの各種の構成部材の変形が起きやすい。特に、フィルタが次第に目詰まりしてきた場合など、流体の圧力が高くなりフィルタケースの各種の構成部材の変形が起きる可能性が高い。詳しくは、第一蓋体と第二蓋体とには、第一外筒体及び第二外筒体の軸方向にフィルタの端面と相対する内側から外側への圧力がかかることになるのであるが、このとき、例えば、第一蓋体と第一外筒体とが、又は、第二蓋体と第二外筒体とが着脱可能に設けられていると、第一蓋体と第一外筒体との間、又は、第二蓋体と第二外筒体との間の接合が弱くなるため、第一蓋体又は第二蓋体が変形し、フィルタの一端面と第一蓋体との間、又は、フィルタの他端面と第二蓋体との間の密接が保たれなくなり、ここから流体が漏れることがある。
【００１６】
しかし、本発明に係るフィルタケースでは、第一蓋体と第一外筒体とが、及び、第二蓋体と第二外筒体とが溶接などによって着脱不可能に設けられていることから、フィルタケース全体の剛性が高まり、フィルタケースの各種の構成部材が変形することがなく、フィルタの一端面と第一蓋体との間、及び、フィルタの他端面と第二蓋体との間などにおいても水密が保たれることになる。したがって、本発明に係るフィルタケースを、フィルタが内周面から外周面へと流体を濾過する内圧式に適用すると、特に好適である。
【００１７】
上記フィルタケースを、「前記第一ケース本体と前記第二ケース本体とを一体化する手段として、前記第一外筒体の外周に設けられた係合部と、前記第二外筒体の外周に設けられ、前記係合部に係合される被係合部と、前記係合部と前記被係合部との係合部分を前記第一外筒体及び前記第二外筒体の軸方向へと付勢する付勢部材とを備える」ものとしてもよい。
【００１８】
係合部及び被係合部は、相互に係合可能なものであれば、その具体的な構成をなんら特定するものではない。例えば、雄雌の組み合わせにより相互に嵌合して係合するもの、又は、一方に鉤状の部材を設けるとともに他方に鉤状の部材に係合可能な棒状の部材を設けたものなどであってもよい。又、付勢部材は、係合部と被係合部との係合部分を第一外筒及び第二外筒の軸方向へと付勢するものであればよく、バネやゴムなどの弾性体を例示できる。又、付勢部材は、係合部と被係合部とのどちらに設けられててもよい。
【００１９】
このようにすれば、第一ケース本体と第二ケース本体とを一体化する場合、第一外筒体に設けられた係合部と第二外筒体に設けられた被係合部とが係合されることになり、又、係合部と被係合部の係合部分が付勢部材により第一外筒体及び第二外筒体の軸方向へと付勢されることになる。したがって、フィルタの一端面と第一蓋体との間、及び、フィルタの他端面と第二蓋体との間の密接を良好に保つことができる。
【００２０】
上記フィルタケースを、「前記第一ケース本体と前記第二ケース本体とを一体化する手段として、前記第一蓋体又は前記第二蓋体の一方の中央部分に取付けられたボルトと、前記第二蓋体又は前記第一蓋体の他方の中央部分に穿設され、前記ボルトを貫通可能な貫通孔と、前記ボルトの前記貫通孔から突出した部分に螺合されるナットとを備える」ものとしてもよい。
【００２１】
このようにすれば、第一ケース本体と第二ケース本体とを一体化すると、第一蓋体又は第二蓋体の貫通孔からボルトが突出することになり、又、そのボルトの貫通孔から突出している部分にナットを取付けて螺合して位置を調節することにより、ナットが第一蓋体又は第二蓋体の中央部分を押圧することになる。このため、ボルト及びナットによって、第一蓋体の中央部分と第二蓋体と中央部分とが相互に締結され、第一蓋体の中央部分と第二蓋体の中央部分との変形が防止される。これにより、フィルタの一端面と第一蓋体の間、及び、フィルタの他端面と第二蓋体との間を均等に密接させることが可能となる。したがって、フィルタの一端面と第一蓋体との間、及び、フィルタの他端面と第二蓋体との間の密接を良好に保つことができる。
【００２２】
ここで、第一ケース本体と第二ケース本体とを一体化する上述の二つの手段を組み合わせることにより、フィルタの一端面と第一蓋体との間、及び、フィルタの他端面と第二蓋体との間の密接を確実に良好に保つことが可能となる。すなわち、係合部と被係合部とによる係合のみでは、圧力上昇が起きた際に、第一蓋体の中央部分と第二蓋体の中央部分とが変形する可能性があり、これにより、フィルタの一端面と第一蓋体との間、及び、フィルタの他端面と第二蓋体との間の密接が保たれない可能性がある。又、ボルト及びナットによる締結のみでは、利用者によってナットを螺合する位置が異なることがあるため、フィルタの一端面と第一蓋体との間、及び、フィルタの他端面と第二蓋体との間の密接の度合いにムラができる可能性がある。このため、係合部と被係合部とによる係合、及び、ボルトとナットによる締結の二つの手段を組み合わせることにより、相互に補完して、フィルタの一端面と第一蓋体との間、及び、フィルタの他端面と第二蓋体との間の密接を確実に良好に保つことができるのである。
【００２３】
【発明の実施の形態】
以下、本発明の一実施形態であるフィルタケース１について、図１から図４までに基づき説明する。本実施形態のフィルタケース１は、ワイヤーカット放電加工又は成形電極による放電加工により発生する加工液を濾過して加工屑などを分離するフィルタ装置２（図４参照）において、流体を濾過する円筒状のフィルタ３を収容するために設けられたものである。
【００２４】
先ず、本実施形態のフィルタケース１の構成について説明する。フィルタケース１は、図１又は図２に示すように、第一ケース本体１０と、第一ケース本体１０に一体化されて第一ケース本体１０とともにフィルタ３を収容する第二ケース本体２０と、フィルタ３を内側から支持する内筒体３０とを主に備え、流体を濾過する円筒状のフィルタ３を交換可能に収容するものである。なお、図１は、フィルタケース１の構成を示す斜視図であり、図２は、フィルタケース１の構成を示す分解斜視図である。
【００２５】
第一ケース本体１０は、第一外筒体１１と、第一蓋体１２とを主に備えている。第一外筒体１１は、ステンレスなどの金属によりフィルタケース１の外周面の下端から中央部分までを形成するものであって、流体が流通可能な複数の流通孔１３が全面に渡って穿設されている。又、第一外筒体１１は、後述の第二外筒体２１の被係合部２４に係合される係合部１４を端部の外周の三箇所に設けている。
【００２６】
係合部１４は、図３に示すように、第一外筒体１１の外周に一端が回動可能に設けられた回動部材１４ａと、回動部材１４ａの一端に回動可能に設けられた回動側腕部材１４ｂと、被係合部２４に係合される棒状の係合部材１４ｃと、係合部材１４ｃに回動可能に設けられた係合側腕部材１４ｄとを備えている。なお、回動側腕部材１４ｂと係合側腕部材１４ｄとには付勢部材１５が介設されており、係合部１４と被係合部２４とを係合すると、係合部分を第一外筒体１１及び後述の第二外筒体２１の軸方向へと付勢する。なお、図３は、係合部と被係合部とを係合した状態を示す正面図である。
【００２７】
第一蓋体１２は、ステンレスなどの金属により第一外筒体１１の一方の端部を閉塞してフィルタケース１の底蓋となるものであって、フィルタケース１に収容するフィルタ３の一端面に密接されるものである。第一蓋体１２は、流体が流通することはない。又、第一蓋体１２は、固定部材１６を介して中央部分に立設されたボルト１７を備えている。なお、第一外筒体１１と第一蓋体１２とは、溶接などの手段により着脱不可能に接合されている。
【００２８】
第二ケース本体２０は、第二外筒体２１と、第二蓋体２２とを主に備えている。第二外筒体２１は、ステンレスなどの金属によりフィルタケース１の外周面の中央部分から上端までを形成するものであって、流体が流通可能な複数の流通孔２３が全面に渡って穿設されている。又、第二外筒体２１は、第一外筒体１１の係合部１４を係合する被係合部２４を端部の外周の三箇所に設けている。被係合部２４は、係合部１４の係合部材１４ｃを係合可能なように鉤状に形成されている。
【００２９】
第二蓋体２２は、ステンレスなどの金属により第二外筒体２１の一方の端部を閉塞してフィルタケース１の上蓋となるものであって、フィルタケース１に収容するフィルタ３の他端面に密接されるものである。第二蓋体２２は、流体が流通することはない。又、第二蓋体２２は、中央部分に穿設され、第一蓋体１２に立設されたボルト１７を貫通可能な貫通孔２５と、流体をフィルタ３の内周面によって囲まれる空間へと入出させる流体入出口２６と、利用者がフィルタケース１を持ち運ぶときなどに利用する取手部材２７とを備えている。なお、第二外筒体２１と第二蓋体２２とは、溶接などの手段により着脱不可能に接合されている。
【００３０】
ここで、第一ケース本体１０と第二ケース本体２０とは、第一外筒体１１の端部の一部と第二外筒体２１の端部の一部とが相互に嵌合するように一体化されている。又、第一外筒体１１の端部の一部が内側となり、第二外筒体２１の端部が外側となるように嵌合されている。
【００３１】
内筒体３０は、ステンレスなどの金属によりフィルタ３の内側に嵌合するように形成されたものであって、流体が流通可能な流通孔３１が全面に渡って穿設されている。又、内筒体３０の内側には、連結部材３２を介して同心円状に設けられた芯筒体３３が設けられている。芯筒体３３においても、流体が流通可能な流通孔３４が全面に渡って穿設されている。
【００３２】
このほか、フィルタケース１は、第一ケース本体１０と第二ケース本体２０が一体化された際に、第二蓋体２２の貫通孔２５から突出しているボルト１７に螺合されるナット２８と、ナット２８と第二蓋体２２との間に介装される押え板２８ａ及びパッキン２８ｂとを備えている。パッキン２８ｂは予め第二蓋体２２や押え板２８ａに接着されていてもよく、着脱が可能であってもよい。
【００３３】
又、フィルタケース１は、フィルタ３の一端面と第一蓋体１２との間に介装される円環状のパッキン１８と、フィルタ３の他端面と第二蓋体２２との間に介装される円環状のパッキン２９とを備えている。パッキン１８，２９は、特に限定はされないが、組付時に弾性変形しうるソリッドタイプ又は発泡タイプであって、ゴム、樹脂、エラストマー等の自己膨潤性の軟質高分子材料よりなるものなどが挙げられる。又、パッキン１８，２９は、後述のフィルタ３の形状保持部材３ｂよりも材質が軟質であるものが好ましい。又、パッキン１８，２９は、形状保持部材３ｂに接着剤又は両面粘着性フィルムなどで予め接着されていてもよいし、フィルタ３をフィルタケース１に収容するときに介装するようにしてもよい。
【００３４】
次に、本実施形態のフィルタケース１に収容されるフィルタ３の構成について説明する。フィルタ３は、フィルタシート３ａと、形状保持部材３ｂとを主に備えている。フィルタシート３ａは、アコーディオンカーテンのように所定の折り幅で襞状に折り曲げるとともに全体を円筒状に巻いて、両側縁を接合したものである。フィルタシート３ａは、紙、不織布、樹脂シートなどの材質を利用できる。又、襞状の折り幅と折りピッチとは、特に限定されるものではないが、例えば、襞状の折り幅は３０〜２００ｍｍの範囲で適宜設定され、ピッチの所定値は３〜５０ｍｍの範囲で適宜設定されることが好ましい。
【００３５】
形状保持部材３ｂは、フィルタシート３ａの円筒形状を保持するためにフィルタシート３ａの上下両端面に水密に取り付けた円環状のものである。又、形状保持部材３ｂの材質は軟質の発泡ゴムである。この他、組付時に弾性変形しうるソリッドタイプ又は発泡タイプであって、ゴム、樹脂、エラストマー等の軟質高分子材料よりなるものなどであってもよい。又、形状保持部材３ｂは、接着剤、両面粘着性フィルム、又は耐水性の高い接着剤によりフィルタシート３ａに接着されている。
【００３６】
次に、本実施形態のフィルタケース１の使用方法について、図２から図４までに基づき説明する。なお、図４は、フィルタ装置２の構成を示す断面図である。フィルタケース１にフィルタ３を収容する場合、フィルタ３の内側に内筒体３０を挿入して装着したのち、芯筒体３３の内側にボルト１７が挿入されるようにして第一ケース本体１０にフィルタ３の一部を収容する。このとき、フィルタ３と第一ケース本体１０の第一蓋体１２との間にパッキン１８を介装する。次に、第二ケース本体２０を第一ケース本体１０に一体化する。このとき、フィルタ３と第二ケース本体２０の第二蓋体２２との間にパッキン２９を介装する。又、第二ケース本体２０の第二蓋体２２の貫通孔２５からボルト１７が突出するのであるが、このボルト１７の貫通孔２５から突出した部分に、パッキン２８ｂ、押え板２８ａなどを介装して、ナット２８を螺合し、ナット２８の位置を調節する。これにより、ナット２８によりパッキン２８ｂ、押え板２８ａなどを介して第二蓋体２２の中央部分を押圧する。又、係合部１４の係合部材１４ｃを被係合部２４に係合したのち、回動部材１４ａを回動させる。これにより、係合部１４と被係合部２４との係合部分が第一外筒体１１及び第二外筒体２１の軸方向へと付勢されることになる。
【００３７】
フィルタ３を収容したフィルタケース１を、フィルタ装置２の容器４の内部に配設する。容器４は、流体入出口４ａ，４ｂを備えている。なお、フィルタケース１は、フィルタ３の外周側を第一ケース本体１０及び第二ケース本体２０により支持し、フィルタ３の内周側を内筒体３０により支持しているため、フィルタ３の外周面から内周面へと流体を濾過する外圧式、及び、フィルタ３の内周面から外周面へと流体を濾過する内圧式のどちらであっても、共通して使用できる。
【００３８】
フィルタケース１を外圧式として利用した場合、流体は、流体入出口４ｂから容器４内へと注入され、フィルタ３の外周面からフィルタ３の内周面へと濾過されたのち、フィルタ３の内周側の空間から第二蓋体２２の流体入出口２６、管５、及び流体入出口４ａを介して容器４の外へと出されることになる。フィルタケース１を内圧式として利用した場合、流体は、流体入出口４ａ、管５、第二蓋体２２の流体入出口２６を介してフィルタ３の内周側の空間に注入され、フィルタ３の内周面から外周面へと濾過されたのち、フィルタ３の外周側の空間から流体入出口４ｂを介して容器４の外へと出されることになる。
【００３９】
フィルタ３の外周面から内周面へと流体を濾過する外圧式の場合、フィルタ３により濾過された加工屑などがフィルタ３の外周面に溜まることになる。このため、フィルタ３に目詰まりが起きてフィルタケース１を容器４内から取り出す際などに、フィルタ３の外周面についている加工屑などが容器内に落ちてしまうことがある。これに対して、フィルタ３の内周面から外周面へと流体を濾過する内圧式の場合、フィルタ３により濾過された加工屑などがフィルタ３の内周面に溜まることになる。このため、フィルタ３に目詰まりが起きてフィルタケース１を容器４内から取り出す際などに加工屑などが容器４内に落ちてしまうおそれがない。よって、限定するものではないが内圧式の方が実施に際しては好適である。
【００４０】
フィルタ３が目詰まりした場合、容器４からフィルタケース１を取り出して、フィルタ３を交換する。このとき、係合部１４と被係合部２４との係合を回動部材１４ａを回動させることにより解除して、又、ボルト１７からナット２８の螺合を解いたのち、第二ケース本体２０を第一ケース本体１０から取外す。そして、内側に内筒体３０を挿入したフィルタ３を取り出して内筒体３０をフィルタ３から抜き出す。そして、新しいフィルタ３の内側に内筒体３０を挿入して装着したのち上述の収容方法に準じる。なお、このとき、パッキン１８，２９も交換してもよい。
【００４１】
このように、本実施形態のフィルタケース１は、流体を濾過するときに圧力がかかることになるのであるが、第一蓋体１２と第一外筒体１１とが、及び、第二蓋体２２と第二外筒体２１とが溶接などによって着脱不可能に設けられていることから、フィルタケース１全体の剛性が高まり、フィルタケース１の各種の構成部材が変形することがなく、フィルタ３の一端面と第一蓋体１２との間、及び、フィルタ３の他端面と第二蓋体２２との間などにおいても水密が保たれることになる。したがって、圧力上昇による水密の漏れを防止できる。
【００４２】
特に、内圧式の場合、フィルタ３の内周面から外周面へと流体を濾過するため、フィルタケース１に内側から外側への圧力がかかることになり、フィルタケース１の各種の構成部材の変形が起きやすい。特に、フィルタ３が次第に目詰まりしてきた場合など、流体の圧力が高くなりフィルタケース１の各種の構成部材の変形が起きる可能性が高い。詳しくは、第一蓋体１２と第二蓋体２２とには、第一外筒体１１及び第二外筒体２１の軸方向にフィルタ３の端面と相対する内側から外側への圧力がかかることになるのであるが、このとき、例えば、第一蓋体１２と第一外筒体１１とが、又は、第二蓋体２２と第二外筒体２１とが着脱可能に設けられていると、第一蓋体１２と第一外筒体１１との間、又は、第二蓋体２２と第二外筒体２１との間の接合が弱くなるため、第一蓋体１２又は第二蓋体２２が変形し、フィルタ３の一端面と第一蓋体１２との間、又は、フィルタ３の他端面と第二蓋体２２との間の密接が保たれなくなり、ここから流体が漏れることがある。
【００４３】
しかし、本発明に係るフィルタケース１では、第一蓋体１２と第一外筒体１１とが、及び、第二蓋体２２と第二外筒体２１とが溶接などによって着脱不可能に設けられていることから、フィルタケース１全体の剛性が高まり、フィルタケース１の各種の構成部材が変形することがなく、フィルタ３の一端面と第一蓋体１２との間、及び、フィルタ３の他端面と第二蓋体２２との間などにおいても水密が保たれることになる。したがって、本発明に係るフィルタケース１を、フィルタ３が内周面から外周面へと流体を濾過する内圧式に適用すると、特に好適である。
【００４４】
又、本実施形態のフィルタケース１は、第一ケース本体１０と第二ケース本体２０とを一体化する場合、第一外筒体１１に設けられた係合部１４と第二外筒体２１に設けられた被係合部２４とが係合されることになり、又、係合部１４と被係合部２４の係合部分が付勢部材１５により第一外筒体１１及び第二外筒体２１の軸方向へと付勢されることになる。したがって、フィルタ３の一端面と第一蓋体１２との間、及び、フィルタ３の他端面と第二蓋体２２との間の密接を良好に保つことができる。
【００４５】
又、本実施形態のフィルタケース１は、第一ケース本体１０と第二ケース本体２０とを一体化すると、第二蓋体２２の貫通孔２５からボルト１７が突出することになり、又、そのボルト１７の貫通孔２５から突出している部分にナット２８を取付けて螺合して位置を調節することにより、ナット２８が第二蓋体２２の中央部分を押圧することになる。このため、ボルト１７及びナット２８によって、第一蓋体１２の中央部分と第二蓋体２２と中央部分とが相互に締結され、第一蓋体１２の中央部分と第二蓋体２２の中央部分との変形が防止される。これにより、フィルタ３の一端面と第一蓋体１２の間、及び、フィルタ３の他端面と第二蓋体２２との間を均等に密接させることが可能となる。したがって、フィルタ３の一端面と第一蓋体１２との間、及び、フィルタ３の他端面と第二蓋体２２との間の密接を良好に保つことができる。
【００４６】
ここで、係合部１４と被係合部２４とによる係合のみでは、圧力上昇が起きた際に、第一蓋体１２の中央部分と第二蓋体２２の中央部分とが変形する可能性があり、これにより、フィルタ３の一端面と第一蓋体１２との間、及び、フィルタ３の他端面と第二蓋体２２との間の密接が保たれない可能性がある。又、ボルト１７及びナット２８による締結のみでは、利用者によってナット２８を螺合する位置が異なることがあるため、フィルタ３の一端面と第一蓋体１２との間、及び、フィルタ３の他端面と第二蓋体２２との間の密接の度合いにムラができる可能性がある。これに対し、本実施形態のフィルタケース１は、第一ケース本体１０と第二ケース本体２０とを一体化する手段として、係合部１４と被係合部２４とによる係合、及び、ボルト１７とナット２８による締結の二つを組み合わせているので、相互に補完して、フィルタ３の一端面と第一蓋体１２との間、及び、フィルタ３の他端面と第二蓋体２２との間の密接を確実に良好に保つことができるのである。
【００４７】
又、本実施形態のフィルタケース１は、上述した事項にも、以下に示す特徴を有している。
【００４８】
フィルタケース１は、フィルタケース１にフィルタ３が交換可能となるように構成されているため、フィルタケース１は繰り返し使用し、フィルタ３のみを交換することができ、交換コストの低減、資源の節約、環境の保護等を図ることができる。又、フィルタシート３ａの材質を紙としたり、形状保持部材３ｂ、及びパッキン１８，２９の材質を天然ゴムなどを利用すれば、環境を汚しにくい。
【００４９】
フィルタ３の収容又は交換時おいて、形状保持部材３ｂがフィルタシート３ａの形状を保持しているので、フィルタシート３ａの襞が展開して延び出すことはない。よって、取り扱い性が良く、格別の注意を要することなく誰にでも簡単に収容又は交換を行うことができる。
【００５０】
又、第一蓋体１２とフィルタ３の一端面との間、及び、第二蓋体２２とフィルタ３の一端面との間に、パッキン１８，２９が介装されるため、水密が確実に確保できる。又、形状保持部材３ｂが軟質の材料よりなるので、フィルタシート３ａの形状を保持するばかりでなく、これによっても第一蓋体１２とフィルタ３の一端面との間、及び、第二蓋体２２とフィルタ３の一端面との間の水密が確保できる。
【００５１】
以上、本発明について好適な実施形態を挙げて説明した。しかし、本発明はこの実施形態に限定されるものではない。以下に示すように、本発明の要旨を逸脱しない範囲において、種々の改良及び設計の変更が可能である。
【００５２】
フィルタケース１は、第一外筒体１１と第二外筒体２１とで外周面を形成する場合、例えば、第一外筒体１１が外周面の一端から三分の二程度までを形成し、第二外筒体２１が三分の二から他端までを形成するなど、第一外筒体１１と第二外筒体２１とは軸方向におけるどの箇所で分けて外周面を形成してもよい。
【００５３】
フィルタケース１は、第一外筒体１１と第二外筒体２１との間に、流体が流通可能な外周面の少なくとも一部を形成する第三外筒体を介設してもよい。
【００５４】
フィルタ装置２は、放電加工の加工液の濾過のみならず、他の流体の濾過においても利用できる。
【００５５】
【発明の効果】
以上のように、本発明に係るフィルタケースは、圧力上昇による水密の漏れを防止することができる。
【図面の簡単な説明】
【図１】本発明の一実施形態であるフィルタケースの構成を示す斜視図である。
【図２】フィルタケースの構成を示す分解斜視図である。
【図３】係合部と被係合部とを係合した状態を示す正面図である。
【図４】フィルタ装置の構成を示す断面図である。
【図５】従来のフィルタケースの構成を示す分解斜視図である。
【符号の説明】
１  フィルタケース
３  フィルタ
１０  第一ケース本体
１１  第一外筒体
１２  第一蓋体
１４  被係合部
１５  付勢部材
１７  ボルト
２０  第二ケース本体
２１  第二外筒体
２２  第二蓋体
２４  係合部
２５  貫通孔
２８  ナット
【図１】
2004313837.tif 000003
【図２】
2004313837.tif 000004
【図３】
2004313837.tif 000005
【図４】
2004313837.tif 000006
【図５】
2004313837.tif 000007